(57)【要約】【課題】商品保持片への装着作業を容易に行うことができるとともに、紙製にした場合にも十分な強度と剛性とを確保することのできる吊下げ具を提供する。【解決手段】フック部３と、このフック部３の基部にくびれ部４ａ，４ｂを介して連設される係止部５とよりなり、係止部５の上面を商品保持片を保持する保持面５ａに形成するとともに、この保持面５ａの一端縁に、その一端縁が鋭角になるように係止部５の下面部５ｂに向けて傾斜する傾斜面部５ｃを連設する。【選択図】        図１
2004358060.tif 000002
【特許請求の範囲】
【請求項１】
フック部と、このフック部の基部にくびれ部を介して連設される係止部とよりなる吊下げ具であって、
前記係止部の上面が商品保持片を保持する保持面に形成されるとともに、この保持面の一端縁に、その一端縁が鋭角になるように前記係止部の下面に向けて傾斜する傾斜面が連設されることを特徴とする吊下げ具。
【請求項２】
前記保持面の一端縁と前記係止部の他端側のくびれ部との距離が、前記商品保持片に形成されるスリットの長さよりもやや長めに形成される請求項１に記載の吊下げ具。
【請求項３】
前記係止部の高さは、前記フック部の最小幅と同程度もしくはやや長めに形成される請求項１または２に記載の吊下げ具。
【請求項４】
板紙の打抜きにより形成される請求項１〜３のいずれかに記載の吊下げ具。
【発明の詳細な説明】
【０００１】
【発明の属する技術分野】
本発明は、小物商品を陳列販売する際に使用される吊下げ具に関するものである。
【０００２】
【従来の技術】
従来、靴下等の繊維製品を含む日用小物の販売形態として、フック状の吊下げ具を取り付けた商品の包装体を、商品陳列棚に設けられる棒状部材に吊下げて陳列販売する方式が採られている。
【０００３】
図４には、この種の従来の吊下げ具の構成を示す斜視図が示されている。この吊下げ具５０は、フック部５１と、このフック部５１の下部に設けられる第１挟止部５２ａおよび第２挟止部５２ｂと、これら第１挟止部５２ａおよび第２挟止部５２ｂに、それぞれ鍵形形状の第１切込み部５３ａおよびストレート状の第２切込み部５３ｂを介して対向配置される第１係止部５４ａおよび第２係止部５４ｂとを備えて構成されている。なお、この吊下げ具５０は、通常、樹脂もしくはファイバー入りの紙により成形され、それによって強度および剛性を付与するようにされている。
【０００４】
この吊下げ具５０を商品保持片６０の上端部に装着するには、まず第１係止部５４ａをスリット６１の一端側に回動させつつ挿入することにより、商品保持片６０の頂部６０ａの一端（スリット６１に面する縁部）を第１切込み部５３ａに導入し、次いで吊下げ具５０を矢印Ｐ方向に摺動させ、この後、第２係止部５４ｂをスリット６１の他端側に挿入することにより、商品保持片６０の頂部６０ａの他端を第２切込み部５３ｂに導入し、これによって吊下げ具６０を商品保持片６０に固定するようにする。この場合、商品保持片６０に対する吊下げ具５０の装着作業は自動化することができず、手作業に頼らざるを得ないのが実情である。
【０００５】
【発明が解決しようとする課題】
しかしながら、前記従来の吊下げ具５０の形状では、この吊下げ具５０を商品保持片６０に装着するのに、この吊下げ具５０を前後に摺動させる動作が伴うためにその装着作業が容易ではなく、作業性の面で難点がある。また、切込み部５３ａ，５３ｂにスリット６１の端縁を挿入する際に引っ掛かってその端縁を傷め易いという問題点もある。しかも、環境問題を考慮すると、消費者が使用後にゴミとして廃棄する際に、樹脂製の吊下げ具５０と紙製の商品保持片６０とを分別する必要がある。このことから、吊下げ具についても紙によって作製することが望まれているところである。
【０００６】
ところが、前述のような吊下げ具を板紙によって形成しようとした場合、幅の小さな切込み部５３ａ，５３ｂを形成するのが極めて困難であるだけでなく、挟止部５２ａ，５２ｂおよび係止部５４ａ，５４ｂ等を所定幅以上に形成しないと十分な強度および剛性が得られないという新たな課題が生じてしまう。
【０００７】
本発明は、このような問題点に鑑みてなされたもので、商品保持片への装着作業を容易に行うことができるとともに、紙製にした場合にも十分な強度と剛性とを確保することのできる吊下げ具を提供することを目的とするものである。
【０００８】
【課題を解決するための手段および作用・効果】
前記目的を達成するために、本発明に係る吊下げ具は、
フック部と、このフック部の基部にくびれ部を介して連設される係止部とよりなる吊下げ具であって、
前記係止部の上面が商品保持片を保持する保持面に形成されるとともに、この保持面の一端縁に、その一端縁が鋭角になるように前記係止部の下面に向けて傾斜する傾斜面が連設されることを特徴とするものである。
【０００９】
本発明の吊下げ具においては、係止部の傾斜面が設けられている側と反対側の他端部を商品保持片のスリットに挿入し、この他端部側のくびれ部を前記スリットの他端縁にあてがった状態で、その他端縁を中心にして前記傾斜面を前記スリットの一端縁に沿わせるように吊下げ具を回動させると、前記傾斜面の上端部にて前記スリットの一端縁が撓みつつ押し下げられてそのスリットを通過し、係止部がスリットの内部空間に挿入される。こうして係止部が挿入された状態では、その保持面の両端部が商品保持片におけるスリット端縁の外側部分に係止され、吊下げ具が商品保持片から不用意に外れるのが防止される。
【００１０】
本発明によれば、吊下げ具を商品保持片へ装着するのに、従来のように切込み部に挿入した後に前後に摺動させる等の操作を行う必要がなく、係止部の他端部をスリットに挿入した後に一端部を回動させるという操作を行うだけで良いので、その装着作業をワンタッチで行うことができるという効果がある。また、係止部の形状として、複雑な切込み等を設ける必要がなく、極めてシンプルな形状に形成できるので製作が容易であり、また特に素材の材質として紙を用いた場合にも、十分な強度と剛性とを確保することができ、環境問題にも適合した製品となる。
【００１１】
本発明において、前記保持面の一端縁と前記係止部の他端側のくびれ部との距離は、前記商品保持片に形成されるスリットの長さよりもやや長めに形成されるのが好ましい。こうすることで、係止部をスリットの内部空間に挿入する操作を容易に行うことができるとともに、挿入後に係止部が外れるのを確実に防止することができる。
【００１２】
また、前記係止部の高さは、前記フック部の最小幅と同程度もしくはやや長めに形成されるのが好ましい。このようにすることで、この吊下げ具を紙製にした場合であっても係止部の強度および剛性を十分に確保することができ、使用中に係止部が折れ曲がったり、千切れたりするのを確実に防ぐことができる。
【００１３】
本発明に係る吊下げ具は板紙の打抜きにより形成されるのが好適である。使用後に消費者がゴミとして廃棄する際に、吊下げ具と商品保持片とを分別する必要がなく、両方を可燃ゴミとして処理することができる。
【００１４】
【発明の実施の形態】
次に、本発明による吊下げ具の具体的な実施の形態につき、図面を参照しつつ説明する。
【００１５】
図１には、本発明の一実施形態に係る吊下げ具の正面図（ａ）および斜視図（ｂ）が示されている。また、図２には、本実施形態の吊下げ具の使用状態での斜視図が示されている。
【００１６】
本実施形態の吊下げ具１は、商品陳列用の棒状部材２に係止されて吊下げ保持される略Ｕ字形状のフック部３と、このフック部３の基部３ａの左右（図１（ａ）における方向を示す。以下同様。）にくびれ部４ａ，４ｂを介して連設される係止部５とよりなっており、１ｍｍ程度の厚さの板紙から木型により型抜きして成形される。前記フック部３は基部３ａに向かうにしたがって徐々に幅広になるように形成されてその剛性が確保されており、それによってそのフック部３に捩れ力等の外力が作用した際に折れ曲がったり破損したりすることがないようにされている。
【００１７】
前記係止部５は、所定の高さ（上下方向幅）を有して前記フック部３の基部３ａに連設され、前記基部３ａの左右のくびれ部４ａ，４ｂに連設される上面部５ａと、この上面部５ａに略平行な下面部５ｂと、前記上面部５ａの一端縁（左端縁）に連設され、その一端縁が鋭角になるように前記下面部５ｂの一端縁に向かう傾斜面部５ｃと、前記上面部５ａの他端縁（右端縁）に連設されて前記下面部５ｂの他端縁に向かう鉛直面部５ｄとを備えて構成されている。ここで、前記上面部５ａは商品保持片６（図２参照）を保持する保持面として機能する。
【００１８】
前記上面部（保持面）５ａの一端縁と前記係止部５の他端側のくびれ部４ｂとの距離Ｗ１は、前記商品保持片６に形成されるスリット７の長さＷ２（図３参照）よりもやや長めに形成されている。また、前記係止部５の高さ、言い換えれば上面部５ａと下面部５ｂとの距離は、前記フック部３の最小幅と同程度もしくはやや長めに形成されてその剛性の確保が図られている。また、前記傾斜面部５ｃの傾斜角は、前記係止部５の高さとの関係において定められるが、本実施形態の場合４５°程度とされている。なお、この吊下げ具１の大きさは、本実施形態においては高さ３０ｍｍ、幅２０ｍｍである。
【００１９】
本実施形態の吊下げ具１は、図２に示されるように上端部に商品保持片６を有する商品の包装体８を吊下げるのに使用される。この吊下げ具１を商品保持片６の上端部に装着するには、図３（ａ）に示されるように、まず吊下げ具１を傾けて係止部５の鉛直面部５ｄ側を商品保持片６のスリット７に挿入する。次いで、図３（ｂ）に示されるように、前記鉛直面部５ｄ側のくびれ部４ｂをスリット７の他端縁にあてがった状態で、そのくびれ部４ｂを中心にして傾斜面部５ｃをスリット７の一端縁に沿わせるように吊下げ具１を矢印Ａ方向に回動させる。そうすると、上面部５ａの一端縁とくびれ部４ｂとの距離Ｗ１がスリット７の長さＷ２よりもやや長めに形成されているため、前記傾斜面部５ｃの上端部にてスリット７の一端縁部を撓ませつつ、その一端縁部が押し下げられる。この後、吊下げ具１を矢印Ａ方向に更に回動させると、図３（ｃ）に示されるように、傾斜面部５ｃの上端縁（上面部５ａの一端縁）がスリット７を通過し、撓んだ状態にあったスリット７の一端縁部が自己復元力により元の位置に戻り、係止部５がスリット７の内部空間に挿入される。こうして係止部５が挿入されると、この係止部５の上面部（保持面）５ａがスリット７の端縁部に係止され、この保持面５ａによって商品保持片６が確実に保持される。
【００２０】
このように本実施形態の吊下げ具１によれば、商品保持片６への装着に際して、くびれ部４ｂを中心に吊下げ具１を回動させる操作を行うだけで、傾斜面部５ｃがスリット７の一端縁に沿ってスムーズに移動して挿入されるので、その装着作業をワンタッチで行うことができる。したがって、図４に示される従来の吊下げ具のように、切込み部５３ａに挿入した後に前後に摺動させる等の操作を行う必要がなく、装着作業を極めて簡素化することができる。
【００２１】
また、係止部の形状を極めてシンプルな形状にできるので、木型を用いた型抜き成形が可能となり、製作費の低減を図ることができる。また、このようにシンプルな形状であるので、素材の材質として紙を用いることが可能となり、このように紙を用いた場合にも、十分な強度と剛性とを確保することができる。しかも、紙を用いることで使用後に紙製の商品保持片６と分別することなく廃棄することが可能となって、環境問題にも適合した製品となる。
【００２２】
本実施形態において、くびれ部４ａから傾斜面部５ｃの上端縁までの長さ（くびれ部４ａの深さ）を短めに設定すれば、係止部５をスリット７内に挿入した後の吊下げ具１の左右方向の動きをより少なくすることができる。
【００２３】
本実施形態においては、吊下げ具１の素材として紙を用いたものを説明したが、本発明の吊下げ具は、勿論、樹脂もしくはファイバ入りの紙によって作製することもできる。なお、このように樹脂製等とした場合には、紙製の商品保持片と分離する際にも、図４に示されるような従来例のものに比べて、商品保持片から容易に取り外すことができるという利点がある。
【図面の簡単な説明】
【図１】図１は、本発明の一実施形態に係る吊下げ具の正面図（ａ）および斜視図（ｂ）である。
【図２】図２は、本実施形態の吊下げ具の使用状態での斜視図である。
【図３】図３（ａ）（ｂ）（ｃ）は、本実施形態の吊下げ具の装着動作説明図である。
【図４】図４は、従来の吊下げ具の斜視図である。
【符号の説明】
１          吊下げ具
３          フック部
４ａ，４ｂ  くびれ部
５          係止部
５ａ        上面部（保持面）
５ｂ        下面部
５ｃ        傾斜面部（傾斜面）
５ｄ        鉛直面部
６          商品保持片
７          スリット
８          包装体
【図１】
2004358060.tif 000003
【図２】
2004358060.tif 000004
【図３】
2004358060.tif 000005
【図４】
2004358060.tif 000006